(57)【要約】【課題】被切断加工材である積層基材へ均一な加圧ができ、切断用の刃の食込み部分が少なく、積層基材へのストレスが小さく、高精度の切断加工ができる積層基材の切断方法およびその切断金型を提供する事を目的とするものである。【解決手段】先端断面がＶ形状の上刃３でなる上刃型２と、上刃型２に対向する同形状構造の下刃５を有する下刃型４でなり、上刃型２あるいは上刃型２と下刃型４の移動動作で、上材料押え６と下材料押え７で積層基材１を柔軟保持あるいは載置し、上刃３と下刃５との間にギャップを有して積層基材１を切断加工する構成とする。【選択図】図１
2006315123.tif 000002
【特許請求の範囲】
【請求項１】
先端断面がＶ形状の上刃を有する上刃型と、前記上刃型に対向する同形状構造の下刃を有する下刃型でなる金型に積層基材を移送して載置し、上刃型あるいは上刃型と下刃型の移動動作による上刃と下刃により切断加工する積層基材の切断方法。
【請求項２】
弾性体でなる上材料押えおよび下材料押えで積層基材を載置および柔軟保持してなる請求項１に記載の積層基材の切断方法。
【請求項３】
切断加工動作時に上刃と下刃との間に所定ギャップを設けて切断加工する請求項１あるいは２に記載の積層基材の切断方法。
【請求項４】
Ｖ形状の角度が２５〜３０度の上刃あるいは下刃、または上刃と下刃を使用した請求項１から３のいずれか１つに記載の積層基材の切断方法。
【請求項５】
先端断面がＶ形状の上刃を先端に有する上刃型、前記上刃型先端を挿通させかつ積層基材を押圧保持するストリッパープレート、積層基材を柔軟保持するための弾性体でなる上材料押え、上刃型の先端を密接挿通させるポンチプレート、ポンチプレートの一面と上刃型の一端面を固着する上バッキングプレート、および上バッキングプレートの一面を固着するポンチホルダーでなる上下移動自在な上型と、前記上刃と対向した先端断面がＶ形状の下刃を先端に有する下刃型、前記下刃型先端を挿通させかつ積層基材を載置し保持するノックアウトプレート、積層基材を柔軟保持し載置するための弾性体でなる下材料押え、下刃型の先端を密接挿通させるダイプレート、ダイプレートの一面と下刃型の一端面を固着する下バッキングプレート、下バッキングプレートの一面を固着するダイホルダー、そして前記上型の移動動作を規制ガイドする一端をダイホルダーに固着させたガイドポストでなる下型で構成してなる積層基材の切断金型。
【請求項６】
Ｖ形状の角度が２５〜３０度の上刃あるいは下刃、または上刃と下刃を使用してなる請求項５に記載の積層基材の切断金型。
【請求項７】
上材料押えおよび下材料押えを、ストリッパープレートおよびノックアウトプレートの上刃型および下刃型の先端が挿通する箇所に配設してなる請求項５あるいは６に記載の積層基材の切断金型。
【請求項８】
下刃突出量調整ブロックをダイプレート内に配設し、前記下刃突出量調整ブロックの上先端面とノックアウトプレート下面との当接により、積層基材への下刃の突出量を調整および設定可能としてなる請求項５から７のいずれか１つに記載の積層基材の切断金型。
【請求項９】
上型バンパーと下型バンパーをポンチホルダーの下面とダイホルダーの上面に配設し、上型バンパーと下型バンパーの先端面の当接により、積層基材への上刃の突出量を調整および設定可能としてなる請求項５から８のいずれか１つに記載の積層基材の切断金型。
【発明の詳細な説明】
【技術分野】
【０００１】
本発明は、各種の箔、薄板材あるいはシート材などを多層に積層してなる積層基材の切断方法およびその切断金型に関するものである。
【背景技術】
【０００２】
従来この種の積層基材の切断方法としては、ロータリー式のスリッターやダイカッターあるいはトムソン工法などによる切断加工が行われている。
【０００３】
従来における積層基材の切断加工概要を説明するための要部断面の模式を図１０に示す。図１０において、１は被切断加工材である積層基材であり、例えばＰＥＴ（ポリエチレンテレフタレート）材でなる素材、パラジウム、金あるいはニッケルなどを皮膜したＰＥＴ材の素材、各種の検知材料を塗布したＰＥＴ材の素材などをホットメルト（接着剤）により接着し積層したものである。
【０００４】
４１は積層基材１を切断加工するための上下移動自在の上刃型であり、下面に断面が鋭角の三角形であり超鋼材でなる上刃４３が所定間隔で所定数設けられており、上刃４３の相互間にウレタンゴムやスポンジなどでなる材料押え４６が配設されている。そして、４７は樹脂やゴム材などの弾性体でなり、積層基材１を載置する下敷である。
【０００５】
そして、図１０（ａ）に示すように、積層基材１を下敷４７の所定箇所に載置した後、図１０（ｂ）に示すように、上刃型４１を降下させることにより、上刃４３の先端部分が積層基材１に当接して通過し、下敷４７の上面に食い込ませて積層基材１を所定形状に切断加工するのである。
【０００６】
なお、この出願に関する先行技術文献情報としては、例えば、特許文献１が知られている。
【特許文献１】特開２００４−１５４９１３号公報
【発明の開示】
【発明が解決しようとする課題】
【０００７】
しかしながら、前記従来の積層基材の切断方法およびその上刃型（金型）では、弾性体の下敷４７へ超鋼材の上刃４３を食込ませて切断加工するのであり、積層基材１への加圧が均一ではなく、また積層基材１への上刃４３の食込む部分（体積）が多くなり、切断加工時の被切断加工材すなわち積層基材１へのストレスが大きく、クラックの発生や、切断加工精度の劣化、さらに下敷４７が切断加工毎にその位置の移動あるいは取替えが必要な消耗品となるという課題を有していた。
【０００８】
本発明は、前記課題を解決しようとするものであり、被切断加工材である積層基材へ均一な加圧ができ、切断用の刃の被切断加工材への食込み部分が少なく、被切断加工材へのストレスが小さく、高精度の切断加工ができる積層基材の切断方法およびその成形金型を提供する事を目的とするものである。
【課題を解決するための手段】
【０００９】
前記目的を達成するために、本発明は以下の構成を有するものである。
【００１０】
本発明の請求項１に記載の発明は、特に、先端断面がＶ形状の上刃を有する上刃型と、前記上刃型に対向する同形状構造の下刃を有する下刃型でなる金型に積層基材を移送して載置し、上刃型あるいは上刃型と下刃型の移動動作による上刃と下刃により切断加工するという構成を有しており、これにより、上下より切断加工が行われ、被切断加工材すなわち積層基材へ均一な加圧ができ、被切断加工材へのストレスが小さく、高精度の切断加工ができるという作用効果を有する。
【００１１】
本発明の請求項２に記載の発明は、特に、弾性体でなる上材料押えおよび下材料押えで積層基材を載置および柔軟保持してなるという構成を有しており、これにより、被切断加工材をひずみやストレスを与えずに保持設定でき、高精度の切断加工ができるという作用効果を有する。
【００１２】
本発明の請求項３に記載の発明は、特に、切断加工動作時に上刃と下刃との間に所定ギャップを設けて切断加工するという構成を有しており、これにより、被切断加工材への切断用の刃の食込み部分が少なく、各種の被切断加工材に対し最適で高精度の切断加工ができるという作用効果を有する。
【００１３】
本発明の請求項４に記載の発明は、特に、Ｖ形状の角度が２５〜３０度の上刃あるいは下刃、または上刃と下刃を使用するという構成を有しており、これにより、被切断加工材への切断用の刃の食込み量を低減でき、刃の寿命を維持し、切断加工時に被切断加工材へストレスなどを与えず高精度の切断加工ができるという作用効果を有する。
【００１４】
本発明の請求項５に記載の発明は、特に、先端断面がＶ形状の上刃を先端に有する上刃型、前記上刃型先端を挿通させかつ積層基材を押圧保持するストリッパープレート、積層基材を柔軟保持するための弾性体でなる上材料押え、上刃型の先端を密接挿通させるポンチプレート、ポンチプレートの一面と上刃型の一端面を固着する上バッキングプレート、および上バッキングプレートの一面を固着するポンチホルダーでなる上下移動自在な上型と、前記上刃と対向した先端断面がＶ形状の下刃を先端に有する下刃型、前記下刃型先端を挿通させかつ積層基材を載置し保持するノックアウトプレート、積層基材を柔軟保持し載置するための弾性体でなる下材料押え、下刃型の先端を密接挿通させるダイプレート、ダイプレートの一面と下刃型の一端面を固着する下バッキングプレート、下バッキングプレートの一面を固着するダイホルダー、そして前記上型の移動動作を規制ガイドする一端をダイホルダーに固着させたガイドポストでなる下型で構成してなるという構成を有しており、これにより、上下より切断加工が行われ、特別な金型の動作や操作が不要であり、被切断加工材すなわち積層基材へ均一な加圧ができ、被切断加工材へのストレスが小さく、高精度の切断加工ができるという作用効果を有する。
【００１５】
本発明の請求項６に記載の発明は、特に、Ｖ形状の角度が２５〜３０度の上刃あるいは下刃、または上刃と下刃を使用してなるという構成を有しており、これにより、被切断加工材への切断用の刃の食込み量を低減でき、刃の寿命を維持し、切断加工時に被切断加工材へストレスなどを与えず高精度の切断加工ができるという作用効果を有する。
【００１６】
本発明の請求項７に記載の発明は、特に、上材料押えおよび下材料押えを、ストリッパープレートおよびノックアウトプレートの上刃型および下刃型の先端が挿通する箇所に配設してなるという構成を有しており、これにより、被切断加工材を柔軟に保持あるいは載置でき、切断加工時に被切断加工材へストレスなどを与えず高精度の切断加工ができるという作用効果を有する。
【００１７】
本発明の請求項８に記載の発明は、特に、下刃突出量調整ブロックをダイプレート内に配設し、前記下刃突出量調整ブロックの上先端面とノックアウトプレート下面との当接により、積層基材への下刃の突出量を調整および設定可能としてなるという構成を有しており、これにより、上刃とのギャップ設定など下刃の突出量が自在に設定でき、各種の被切断加工材に対し最適で、後加工精度の良い高精度の切断加工ができるという作用効果を有する。
【００１８】
本発明の請求項９に記載の発明は、特に、上型バンパーと下型バンパーをポンチホルダーの下面とダイホルダーの上面に配設し、上型バンパーと下型バンパーの先端面の当接により、積層基材への上刃の突出量を調整および設定可能としてなるという構成を有しており、これにより、下刃とのギャップ設定など上刃の突出量が自在に設定でき、各種の被切断加工材に対し最適で、後加工精度の良い高精度の切断加工ができるという作用効果を有する。
【発明の効果】
【００１９】
本発明の積層基材の切断方法およびその切断金型は、所定のギャップを設定した切断加工動作ができる上刃と下刃をそれぞれ有する上刃型と下刃型でなる構成であり、被切断加工材である積層基材へのストレスが軽減でき、切断バリや被切断加工材の変形が防止できて高精度の切断加工が可能で、各種の被切断加工材の条件に最適な切断加工ができるという効果を有する。
【発明を実施するための最良の形態】
【００２０】
以下、実施の形態を用いて、本発明の特に請求項１〜９に記載の発明について図面を参照しながら説明する。
【００２１】
なお、背景の技術において説明した説明したものと同じ構成部材などについては、同じ符号を付与し詳細な説明は省略する。
【００２２】
図１は、本発明の実施の形態における切断加工を説明するための要部模式図、図２（ａ）は同切断用の刃の要部断面拡大図、図２（ｂ）は同じく切断部分拡大図、図３〜図９は同切断加工における概要動作工程図である。
【００２３】
切断加工機構である金型の要部基本構成について説明する。図１および図２において、１は積層基材（被切断加工材）、２は鋼材や超硬材などでなり移動自在な上刃型、そして３は超硬材でなり例えば２５〜３５度、好ましくは３０度程度のＶ形状断面の上刃であり、切断加工形状および寸法（ピッチ）にて所定数が上刃型２の下先端部に一体、あるいは別個に製作したものを固着して形成されている。
【００２４】
なお、上刃３の付け根（下端）部分は直線傾斜ではなく、強度や製作加工性のために曲線傾斜としても良く、また最先端は例えば０．０１〜０．０２ｍｍ幅すなわち微細幅の面構造となっている。
【００２５】
６は上材料押えであり、ウレタンゴムやスポンジなどの弾性体でなり、上刃３の部分が挿通するスリット８を有しており、上片面にて上刃型２における上刃３の無い部分の下面に装着されている。
【００２６】
そして、上刃型２、上刃３、上材料押え６そしてスリット８のそれぞれと対応する下刃型４、下刃５、下材料押え７そしてスリット９であり、同じ材料、形状および構成により対応して配設、すなわち上刃３と下刃５は対向あるいは一直線状に配置されており、また下刃型４は固定あるいは移動自在となっている。
【００２７】
次に、本発明における積層基材を所定形状に切断加工する切断金型の例について、図面を参照しながら説明する。図３〜図９において、３８は被切断加工材である積層基材１を保持し、所定形状に切断加工する切断金型の所定位置に搬送し維持する移送機構における積層基材チャックであり、切断金型の所定位置で上下移動自在となっている。
【００２８】
２ａは鋼材や超硬材などでなる上刃型であり、上部を取付けボルトにより金属材でなる上バッキングプレート１３の下面に固着されており、下部には超硬材でなり例えば３０度程度のＶ形状断面の上刃３ａが、切断加工形状および寸法（ピッチ）にて所定数を上刃型２ａに一体形成、あるいは別個に製作したものが固着されている。
【００２９】
３ｂは上刃型２ａの下端における上刃３ａの相互間に設けられた溝であり、鋼材でなるストリッパープレート１１における上刃型２ａの下部が挿通する中央部の孔の下端部に配設され、ウレタンゴムやスポンジなどの弾性体でなる上材料押え６ａが挿入し、上刃型２ａの移動により上材料押え６ａを圧縮する。
【００３０】
１９は金属材でなり、下部をストリッパープレート１１の一端に固着したストリッパーガイドポスト、１２は金属材でなるポンチプレートであり、片側にストリッパーガイドポスト１９を中心部において摺動自在に挿通しガイドする鋼材でなるストリッパーガイドブッシュ２０を嵌め込んでおり、他側には下部をストリッパープレート１１の上面に捻じ込んだボルト１５を挿通させる金属材でなるスリーブ１４を貫通かつ挿通する孔を、そして中央部に上刃型２ａの上部を嵌め込んでおり、上面を上バッキングプレート１３の下面に固着させている。
【００３１】
なお、スリーブ１４の上端は鍔広となっており、上バッキングプレート１３の上面位置（ポンチホルダー１８の下面）に設定され、ボルト１５によるストリッパープレート１１への締め付けにより、ポンチホルダー１８とストリッパープレート１１との距離を一定、すなわちスリーブ１４の下長さに設定している。
【００３２】
上バッキングプレート１３には前記のストリッパーガイドポスト１９およびボルト１５を挿通したスリーブ１４を貫通し挿通する孔を設けており、上面を金属材でなるポンチホルダー１８の下面に固着させている。
【００３３】
２１は金属材でなり、ポンチホルダー１８の下面の片側あるいは両側にボルトで固定された上型バンパー、そしてスプリング１６およびスクリュープラグ１７により、ボルト１５すなわちストリッパープレート１１をポンチプレート１２とは所定のギャップを有する下方向に付勢している。
【００３４】
３５は鋼材でなるブッシュであり、中にボールリテーナ３４を挿入しており、ポンチホルダー１８の片側に嵌め込み固着されている。以上で切断金型における上下移動自在な上型を構成している。
【００３５】
２２は鋼材でなりストリッパープレート１１に対応したノックアウトプレートであり、下刃型４ａ、下刃５ａ、溝５ｂ、下材料押え７ａ、ノックアウトガイドポスト３０およびノックアウトガイドブッシュ３１は、それぞれ上刃型２ａ、上刃３ａ、溝３ｂ、上材料押え６ａ、ストリッパーガイドポスト１９およびストリッパーガイドブッシュ２０と対応しており、同じ材料、同一あるいは相似した形状および構成により対向して配設されている。
【００３６】
また、下型バンパー３２、ダイホルダー２６、ダイプレート２３、下バッキングプレート２４、スリーブ２７、ボルト３７、スプリング２８およびスクリュープラグ２９は、それぞれ上型バンパー２１、ポンチホルダー１８、ポンチプレート１２、上バッキングプレート１３、スリーブ１４、ボルト１５、スプリング１６およびスクリュープラグ１７と対応しており、同じ材料、同一あるいは相似した形状および構成により対向して配設されている。
【００３７】
２５は鋼材でなる下刃突出量調整ブロックであり、下端を下バッキングプレート２４の上面に当接しダイプレート２３内に埋設され、上端がダイプレート２３の上面より突出している。
【００３８】
なお、ボルト３７、スリーブ２７などはボルト１５、スリーブ１４などとは本実施の形態では加工動作部分である上刃３ａ、下刃５ａを中心に対称位置としている。
【００３９】
３３は鋼材でなるガイドポストであり、下端をダイホルダー２６の片側あるいは両側に固着しており、上型を上方向に付勢するスプリング３６の中を挿通し、上端はボールリテーナ３４内を密接挿通するのである。以上で切断金型における下型を構成している。
【００４０】
なおまた、各スプリングの付勢力は、スプリング３６＞スプリング１６＞スプリング２８に設定されている。
【００４１】
次に切断加工動作について説明する。まず図３に示すように上型をスプリング３６の付勢および駆動機構（図示せず）により上部方向の上死点位置とし、積層基材搬送機構（図示せず）により被切断加工材である積層基材１を所定位置に移送し、積層基材チャック３８により保持し維持する。
【００４２】
その際、ストリッパープレート１１はスプリング１６の付勢によりポンチプレート１２より最も離脱したギャップがある位置であり、ノックアウトプレート２２はスプリング２８の付勢によりダイプレート２３より最も離脱したギャップがある位置となっている。
【００４３】
従って、上刃３ａはストリッパープレート１１の孔内であり、上材料押え６ａは上刃３ａの先端部分で溝３ｂの外あるいはほとんど外となっており、同様に下刃５ａはノックアウトプレート２２の孔内であり、下材料押え７ａは下刃５ａの先端部分で溝５ｂの外あるいはほとんど外となっている。
【００４４】
さらに、上型バンパー２１の下面と下型バンパー３２の上面、そして下刃突出量調整ブロック２５の上先端面とノックアウトプレート２２の下面とは当接せずギャップのある状態となっている。
【００４５】
次に図４に示すように、駆動機構によりスプリング３６の付勢力に逆らいスプリング３６を圧縮させながら上型を下降させることにより、ストリッパープレート１１の下面および上材料押え６ａの下面が積層基材１の上面に当接する。
【００４６】
上型をさらに下降させることにより、図５に示すように積層基材１も降下して、積層基材１の下面にノックアウトプレート２２および下材料押え７ａの上面が当接する。
【００４７】
そして、上型をさらに下降させることにより、図６に示すようにノックアウトプレート２２がスプリング２８の付勢力に逆らってスプリング２８を圧縮しながら降下し、下刃５ａの上先端が積層基材１の下面に当接すると共に、下材料押え７ａが降下してその下部が溝５ｂに進入する。
【００４８】
さらに上型を下降させることにより、図７に示すように、下材料押え７ａの下端が溝５ｂの底に当接して圧縮されたわんで積層基材１を柔軟に支持し、下刃５ａの先端は積層基材１の下面に食込む（切断加工動作工程）が、下刃突出量調整ブロック２５の上端面がノックアウトプレート２２の下面に当接し、それ以上のノックアウトプレート２２の降下を阻止することになる。
【００４９】
すなわち、下刃５ａの突出量（切断加工動作の食込み深さ）を、積層基材１に最適な設定値とするのであり、また前記で説明したように、スプリング１６＞スプリング２８の付勢力であり、ノックアウトプレート２２が不要な働きをして、たわみなどが発生することはない。
【００５０】
さらに上型を下降させることにより、図８に示すように、スプリング１６の付勢力に逆らって、すなわちスプリング１６をたわませながら上型が降下し、上刃３ａの下先端が積層基材１の上面部に当接する。なお、この際前記で説明したように下刃５ａの位置は維持されたままであり、それ以上下刃５ａの上先端が積層基材１に食込むことはない。
【００５１】
そしてさらに上型を下降させると、図９に示すように、スプリング１６をたわませながら上型が降下し、上刃３ａの下先端が積層基材１の上面に食込む（切断加工動作工程）が、上型バンパー２１の下面と下型バンパー３２の上面が当接した位置である下死点にて停止する。
【００５２】
すなわち、上刃３ａの突出量（切断加工動作の食込み深さ）を、積層基材１に最適な設定値とするのであり、下刃５ａの上先端とは当接せずに、図２（ｂ）に示すように、後工程における各種の加工動作などが最適であるように、例えば０．０４〜０．０９ｍｍのギャップとなるように設定しているのである。
【００５３】
続いて駆動機構により上型を元の位置に復帰させ、その後積層基材１を次の工程位置に移送させて切断加工動作の１工程を終了するのである。
【００５４】
なお、本実施の形態は上型が移動自在の構成例について説明したが、下型も移動自在とする構成とし、双方の移動により切断加工しても良い。
【００５５】
以上、本発明の積層基材の切断方法およびその切断金型は、下刃突出量調整ブロック２５および上型バンパー２１と下型バンパー３２の調整設定により、上刃３ａと下刃５ａの各種積層基材１への最適食込み量（上刃３ａと下刃５ａとのギャップを含む）に自在に設定できるのであり、１層や２層あるいはそれ以上の多層品種や、フィルムや箔、非金属材、各種の検知材料塗布された樹脂材料とそれらの複合材料など各種の積層基材の特性に合わせて最適に調整することができるのである。
【産業上の利用可能性】
【００５６】
本発明にかかる積層基材の切断方法およびその切断金型は、被切断加工材である積層基材へのストレスが軽減でき、切断バリや積層基材の変形が防止できて高精度の切断加工が可能で、各種の積層基材に最適な切断加工ができるという効果を有し、各種の薄板材や同積層基材の切断加工などの用途として有用である。
【図面の簡単な説明】
【００５７】
【図１】本発明の実施の形態における切断加工を説明するための要部模式図
【図２】（ａ）同切断用の刃の要部断面拡大図、（ｂ）同じく切断部分拡大図
【図３】同切断加工における概要動作工程図
【図４】同切断加工における概要動作工程図
【図５】同切断加工における概要動作工程図
【図６】同切断加工における概要動作工程図
【図７】同切断加工における概要動作工程図
【図８】同切断加工における概要動作工程図
【図９】同切断加工における概要動作工程図
【図１０】従来における積層基材の切断加工の概要を説明するための要部断面模式図
【符号の説明】
【００５８】
１  積層基材（被切断加工材）
２、２ａ  上刃型
３、３ａ  上刃
３ｂ、５ｂ  溝
４、４ａ  下刃型
５、５ａ  下刃
６、６ａ  上材料押え
７、７ａ  下材料押え
８、９  スリット
１１  ストリッパープレート
１２  ポンチプレート
１３  上バッキングプレート
１４、２７  スリーブ
１５、３７  ボルト
１６、２８、３６  スプリング
１７、２９  スクリュープラグ
１８  ポンチホルダー
１９  ストリッパーガイドポスト
２０  ストリッパーガイドブッシュ
２１  上型バンパー
２２  ノックアウトプレート
２３  ダイプレート
２４  下バッキングプレート
２５  下刃突出量調整ブロック
２６  ダイホルダー
３０  ノックアウトガイドポスト
３１  ノックアウトガイドブッシュ
３２  下型バンパー
３３  ガイドポスト
３４  ボールリテーナ
３５  ブッシュ
３８  積層基材チャック
４１  上刃型
４３  上刃
４６  材料押え
４７  下敷
【図１】
2006315123.tif 000003
【図２】
2006315123.tif 000004
【図３】
2006315123.tif 000005
【図４】
2006315123.tif 000006
【図５】
2006315123.tif 000007
【図６】
2006315123.tif 000008
【図７】
2006315123.tif 000009
【図８】
2006315123.tif 000010
【図９】
2006315123.tif 000011
【図１０】
2006315123.tif 000012